(57)【特許請求の範囲】
【請求項１】
槽内の中央部に架台（２８）が設けられる平面視略長方形状の浴槽（１）と、該浴槽（１）の一方側長辺の外側に一方側長辺の外側を向けて横着けされて利用されるとともに上方に担架（３）が載置される平面視略長方形状の搬送車（２）とを備え、該搬送車（２）にはその長手方向の略中央部に介助者が出入りできる幅の当該搬送車（２）の一方側長辺から他方側長辺を横断する空間部（５）が設けられており、介助者が前記空間部（５）内に入り込んで前記担架（３）の移乗操作及び前記架台（２８）上へ移乗された担架（３）上に臥す入浴者の介助作業が行えることを特徴とする操作容易な入浴装置。
【請求項２】
前記空間部（５）下方の枠体（８）に、介助者が上れる踏み台（１１）を設けたことを特徴とする請求項１記載の操作容易な入浴装置。
【請求項３】
前記空間部（５）によって分離される前部（６）と後部（７）を連結体（２９）で連結し、該連結体は介助者が跨げることを特徴とする請求項１記載の操作容易な入浴装置。
【請求項４】
前記空間部（５）に扉（３２）を設けたことを特徴とする請求項１記載の操作容易な入浴装置。
【請求項５】
前記空間部（５）における落下水を受け止める空間部水受盤（１５）を移動可能に設けたことを特徴とする請求項１記載の操作容易な入浴装置。
【請求項６】
前記空間部水受盤（１５）を蛇腹水受盤（４２）とし、該蛇腹水受盤（４２）は枠体（８）に水平方向に伸縮移動可能に設けられ、前記空間部（５）の一隅に寄せられることを特徴とする請求項５記載の操作容易な入浴装置。
【請求項７】
前記空間部水受盤（１５）を前記水受盤（１２）に設けた垂下水受盤（４３）とし、該垂下水受盤（４３）は、垂下状位置から水平位置にまで回動可能であり該水平位置で係止固定できることを特徴とする請求項５記載の操作容易な入浴装置。
【請求項８】
前記浴槽（１）に横着けされた前記搬送車（２）の前記空間部（５）内にいる介助者が該空間部（５）内において前記浴槽（１）が有する機能の作動指示を行えるよう、前記浴槽（１）の側壁（１８）上部に操作部（１９）を設けたことを特徴とする請求項１記載の操作容易な入浴装置。
【請求項９】
前記担架（３）に落下水を受け止める担架水受盤（３６）が設けられることを特徴とする請求項１記載の操作容易な入浴装置。
【発明の詳細な説明】
【０００１】
【発明の属する技術分野】
本発明は、身体障害者や養護老人等の入浴に供される操作容易な入浴装置に関する。
【０００２】
【従来の技術】
従来技術の実公平５−２７９３５号公報には、下フレ−ム、ア−ム、上フレ−ム、移乗台、担架、担架送り装置、基枠、桟、桟付索体、モ−タ−等からなる「入浴装置の担架送り装置」が開示されている。
【０００３】
【発明が解決しようとする課題】
前記従来装置は、担架を担架送り装置で浴槽上に自動的に送ることができる装置であるが、構造が複雑であり、電気回路の防水にも多大な配慮が必要である為、製作や保守に多くの困難が伴うものであった。
【０００４】
又、入浴中の入浴者の介護又は看視は、搬送車を除去移動させなければできず、搬送車の操作に多くの手数が掛かり、不都合であった。搬送車を除去移動せずそのままの位置で、介助者が、入浴中の入浴者の介護又は看視できる装置が要望されていた。更に、介助者は高い位置から容易に行き届いた入浴介助できる装置が要望されていた。
【０００５】
本発明の目的は、上記の諸課題を解決したものであり、手動で容易に操作できる操作容易な入浴装置を提供することにある。
【０００６】
【課題を解決しようとする手段】
上記目的を実現する為、本発明は、槽内の中央部に架台（２８）が設けられる平面視略長方形状の浴槽（１）と、該浴槽（１）の一方側長辺の外側に一方側長辺の外側を向けて横着けされて利用されるとともに上方に担架（３）が載置される平面視略長方形状の搬送車（２）とを備え、該搬送車（２）にはその長手方向の略中央部に介助者が出入りできる幅の当該搬送車（２）の一方側長辺から他方側長辺を横断する空間部（５）が設けられており、介助者が前記空間部（５）内に入り込んで前記担架（３）の移乗操作及び前記架台（２８）上へ移乗された担架（３）上に臥す入浴者の介助作業が行えることを特徴とする。
又、前記空間部（５）下方の枠体（８）に、介助者が上れる踏み台（１１）を設けたことを特徴とする。
又、前記空間部（５）によって分離される前部（６）と後部（７）を連結体（２９）で連結し、該連結体（２９）を介助者が跨げるようにしてもよい。
又、前記空間部（５）に扉（３２）を設けたことを特徴とする。
又、前記空間部（５）における落下水を受け止める空間部水受盤（１５）を、移動可能に設けたことを特徴とする。
又、前記空間部水受盤（１５）は蛇腹水受盤（４２）とされ、該蛇腹水受盤（４２）は枠体（８）に水平方向に伸縮移動可能に設けられ、前記空間部（５）の一隅に寄せられることを特徴とする。
又、前記空間部水受盤（１５）を前記水受盤（１２）に設けた垂下水受盤（４３）とし、該垂下水受盤（４３）を垂下状位置から水平位置にまで回動可能とし該水平位置で係止固定できるようにしてもよい。
又、前記浴槽（１）に横着けされた前記搬送車（２）の前記空間部（５）内にいる介助者が空間部（５）内において前記浴槽（１）が有する機能の指示操作を行えるよう、前記浴槽（１）の側壁（１８）上部に操作部（１９）を設けたことを特徴とする。
又、前記担架（３）に落下水を受け止める担架水受盤（３６）が設けられることを特徴とする。
【０００７】
【発明の実施の形態】
本発明の搬送車２を浴槽１に横着けし、搬送車２上の担架３を浴槽１の上に移動させ、浴槽１を上昇させ、担架３上の入浴者を入浴させる。担架３を浴槽１に移乗させる時、搬送車２の略中央部に設けられた空間部５に介助者が入り、操作容易に、担架３を搬送車２から浴槽１に入れ、又、浴槽１から搬送車２へ引き戻す。
【０００８】
搬送車２の枠体８に設けられて空間部５に位置する踏み台１１に、介助者が上り、入浴者の介助をする。
【０００９】
搬送車２の空間部５によって分離される前部６と後部７を、連結体２９で連結する。搬送車２の左右方向（以下、搬送車２の左右方向とは図１における左右方向と同じ方向を指す）の略中央にある連結体２９の左右に又は左右の内の一方に、介助者が入れる。
【００１０】
搬送車２の前部６の下部７と、搬送車２の後部７の下部を連結する連結体２９を、介助者は容易に跨げる。
【００１１】
開口部４に設けられる扉３２は、担架３の移乗に際して介助者が搬送車２の空間部５に入る時には開け、介助者が出ると閉める。閉じた扉３２は、落下水が搬送車２から外部へ飛散することを防止する。
【００１２】
搬送車２の枠体８に設けられ空間部５に位置する空間部水受盤１５は、空間部５に落下する水を受け止める。
【００１３】
空間部５に上下移動可能に設けられる空間部水受盤１５は、水が落下する時には上方に移動させ落下水を受けその飛散を防止する。空間部水受盤１５は、担架３を移乗させる時には下方に移動し、この上に介助者が上がることができる踏み台の機能を有するものとなり、この上に介助者が上がって担架３の移乗を容易に行なう。
【００１４】
蛇腹水受盤４２は、水が落下する時には水平方向に移動させながら伸展させ落下水を受けその飛散を防止する。蛇腹水受盤４２は、担架３を移乗させる時には水平方向に移動させながら収縮させ空間部５の一隅へ寄せ、この空間部５に介助者が入り担架３の移乗を容易に行なう。
【００１５】
水平位置と垂下状位置との間を回動可能に設けられる垂下水受盤４３は、水が落下する時には水平方向に回動させ水平位置になし、落下水を受けその飛散を防止する。担架３を移乗させる時には垂下水受盤４３を、垂直方向に回動させ垂下状になし、空間部５の一壁へ添わせ、空間部５に介助者が入り、担架３の移乗を容易に行なう。
【００１６】
浴槽１の側壁１８の略中央上部に設けられる操作部１９は、浴槽１が有する機能の作動を指示する。即ち、担架３を浴槽１上に移乗させた後は、浴槽１を下降させ、入浴者を湯に浸け、そして、気泡浴装置（＝図示省略）を作動させ、退浴する時は浴槽１を上昇させるといった作動の指示をする。
【００１７】
浴槽１の側壁１８の略中央下部に突設せられる係止部に搬送車２を係止する。
【００１８】
搬送車２に、移動可能に担架３が載置され、該担架３に設けられる担架水受盤３６が落下水を受けその飛散を防止する。
【００１９】
【実施例】
図１に示す本発明の第１実施例は、昇降する浴槽１と、搬送車２と、浴槽１と搬送車２間を移乗する担架３とからなる。
【００２０】
搬送車２の略中央部には、左右（＝図１における左右）を開口部４とされる空間部５が設けられる。空間部５は介助者が搬送車２に出入りできる空間である。搬送車２は、空間部５と、空間部５の前方に位置する前部６と、空間部５の後方に位置する後部７と、枠体８と、搬送車２を移動させる時に掴む取っ手９と、搬送車２の下部に設けられ搬送車２を床面に容易に走行させるキャスタ−１０とからなる。キャスタ−１０はロック付（図示省略）である。
【００２１】
前記枠体８に介助者が上る踏み台１１が設けられ、該踏み台１１は空間部５の下部位置に形成される。
【００２２】
担架３からの落下水を受け止める水受盤１２が設けられる。即ち、前部６、後部７及び空間部５に、それぞれ前部水受盤１３、後部水受盤１４及び空間部水受盤１５が設けられる。
【００２３】
空間部水受盤１５の実施例である垂下水受盤４３は、前後に二分されており、それぞれを前空間部水受盤１６、後空間部水受盤１６という。前・後空間部水受盤１６・１７は、水平位置と垂下状位置との間を回動可能に設けられる。水平位置に回動させた時にはその位置に適宜に係止固定し、係止固定を解除すれば前・後空間部水受盤１６・１７は、図１に示す垂下状位置になる。図１中、４６は担架３を支持するレ−ルである。
【００２４】
浴槽１の側壁１８の中央上部に、浴槽１が有する種々の機能を個々に作動させる操作部１９が設けられる。該操作部１９は、上昇スイッチ２０、下降スイッチ２１、気泡スイッチ２２等である。浴槽１の背面には操作部１９と同じスイッチ群を擁する背面操作部４４が設けられ、浴槽１の正面には操作部１９と同じスイッチ群を擁する正面操作部４８が設けられる。
【００２５】
浴槽１内の中央の上部に担架３を支持する架台２８が、浴槽１の底壁を水密に貫通する支柱（＝図示省略）に支持されて設けられる。
【００２６】
担架３は、入浴者を乗せるものであり、前述した通り、浴槽１と搬送車２間を移乗する。図１中、２５は枕部、２６は掴みア−ム、２７は担架フレ−ムである。
【００２７】
第１実施例を使用する時は、介助者は、入浴態勢にある入浴者を搬送車２上の担架３に乗せる。搬送車２を、浴槽１に横着けし、浴槽１の係止部へ連結係止する。そして、キャスタ−１０を適宜ロックする。
【００２８】
介助者は、搬送車２の外側（＝図１では入浴者の左側）へ回り、搬送車２の長手方向中央部に位置する。次に、搬送車２のキャッチ具４７を操作し搬送車２と担架３の係止を外し、担架フレ−ム２７の長手方向中央部を掴んで、担架３を浴槽１内の架台２８上に押し遣る。
【００２９】
この時、介助者は踏み台１１に上がり、前屈み姿勢になることなく楽な姿勢で担架３を架台２８上に押し遣る。介助者は、担架３を架台２８上に完全に乗せた後、操作部１９の上昇スイッチ２０を押し、浴槽１を上昇させ、浴槽１内の温湯に入浴者を浸ける。
【００３０】
次に、気泡スイッチ２２を押し、気泡浴装置（図示省略）を作動させ、湯内に気泡を発生させ、入浴者に気泡浴を施す。
【００３１】
退浴時には、下降スイッチ２１を押し、浴槽１を下降させる。浴槽１を下降させた後、担架３を搬送車２上に移乗させる。この移乗時には、介助者は踏み台１１に上がって浴槽１の担架３を搬送車２側へ引く。担架３が浴槽１から離れ搬送車２に移乗し始めれば介助者は適宜踏み台１１から床に降りる。担架３を搬送車２へ移乗し、担架３を搬送車２へロックし、搬送車２を走行し入浴者を所定の場所へ移動し、入浴を終了する。
【００３２】
図２、３に示す本発明の第２実施例は、搬送車２が空間部５によって前部６と後部７に分離され、該前部６と後部７が連結体２９で連結されたものである。図２中、４７は担架３を所定位置に係止するキャッチ具、図３中、３０はロックペダルである。
【００３３】
図４、５に示す本発明の第３実施例は、第２実施例の連結体２９を枠部材で構成しその一端は、前部６の下部に、他端も後部７の下部にそれぞれ連結して下部連結３１となし、介助者は下部連結体３１を容易に跨げるものにしている。
【００３４】
図６、７に示す本発明の第４実施例は、浴槽１に搬送車２が横着けされている。搬送車２の空間部５の左右に扉３２が設けられている。
【００３５】
図８に示す本発明の第５実施例は、搬送車２の空間部５に、昇降機３３に支持された空間部水受盤１５を設けたものである。下限位置に下降した空間部水受盤１５の上面には介助者が容易に上がれる。
【００３６】
図９、１０に示す本発明の第６実施例は、空間部水受盤１５が、水平方向に移動しながら伸縮可能に設けられ、空間部５の一隅に寄せられる蛇腹水受盤４２である。図９には蛇腹水受盤４２の伸展状態を示し図１０には収縮状態を示している。
【００３７】
浴槽１の一側壁１８の中央下部に、搬送車２を係止する係止部が水平方向に突設せられる。
【００３８】
図１１に示す本発明の第７実施例は、搬送車２上に、移動可能に担架３が載置され、該担架３に落下水を受け止める担架水受盤３６が設けられるものである。図１２中、５１は担架３裏部に取着されるロ−ラ−部である。
【００３９】
図１２に示す本発明の第８実施例は、搬送車２の前部６及び後部７にそれぞれ前部昇降機３７、後部昇降機３８が設けられた昇降式搬送車３９である。昇降式搬送車３９に載置される担架３の高さは変更可能である。
【００４０】
図１３、１４に示す本発明の第９実施例は、第１実施例における踏み台１１の略半分を切欠いて切欠き踏み台４０としたものである。切欠き部分は介助者が入る側の略半分とする。
【００４１】
図１５に示す本発明の第１０実施例は、搬送車２を構成する前部６及び後部７が別体であり、搬送車２に担架３を載置すると、前部６及び後部７が担架３に一体的に係着され、搬送車２が搬送機能を生じ、担架３を搬送できるものである。尚、図１６中の搬送車２のキャスタ−１０を取り外し、据置き式のものとしてもよい。
【００４２】
【発明の効果】
本発明は、槽内の中央部に架台が設けられる平面視略長方形状の浴槽と、該浴槽の一方側長辺の外側に一方側長辺の外側を向けて横着けされて利用されるとともに上方に担架が載置される平面視略長方形状の搬送車とを備え、該搬送車にはその長手方向の略中央部に介助者が出入りできる幅の当該搬送車の一方側長辺から他方側長辺を横断する空間部が設けられる構成であるから、介助者は空間部内に入り込み、担架の移乗を、前屈みの苦しい姿勢になることなく、楽な姿勢で容易に行なえる。
【００４３】
又、身長の低い介助者は、搬送車の側部から担架を浴槽へ移乗させることが甚だ困難であるといった不都合を解消して、容易に担架を架台と搬送車の双方向に移乗させることができ、好都合である。
【００４４】
又、入浴中の入浴者の介護又は看視が、搬送車を除去移動させずにそのままの位置で容易にでき、搬送車の操作に掛かる手数が減り、好都合である。
【００４５】
本発明は、空間部下方の枠体に、介助者が上れる踏み台を設けたものであるから、担架を、浴槽側へ移乗させる際には、介助者は空間部の踏み台に上がって担架を操作できる。介助者は担架の移乗を、前屈みの苦しい姿勢になることなく、楽な姿勢で容易に行なえ、更に、入浴介助の際には踏み台に上がった高い位置から介助できるので、浴槽内の患者に好適に手が届かず満足な介助ができないといった不都合を解消し、行き届いた介助が容易に好適に行なえ、好都合である。
【００４６】
本発明は、空間部によって分離される前部と後部を連結体で連結し、連結体を介助者が跨げるように構成したものであるから、前述したように、担架を移乗させる際には、介助者は空間部に入って担架を楽な姿勢で容易に操作できる。
【００４７】
又、身長の低い介助者でも、容易に担架を移乗させることができ、好都合である。
【００４８】
本発明は、空間部に扉を設けたものであるから、水が落下する時には扉を閉め、落下水の飛散を防止でき、好都合である。
【００４９】
本発明は、空間部における落下水を受け止める空間部水受盤を移動可能に設けたものであから、担架の移乗操作時には、介助者が空間部に入れるように空間部水受盤を移動させることで、介助者は担架の移乗操作を容易に行なえ、移乗操作をしない時には空間部水受盤を落下水の受け止めが可能な位置に移動させることで落下水の飛散を防止でき、介助が快適に行なえ、好都合である。
【００５０】
例えば、空間部水受盤を上下移動可能に設けたものにあっては、担架の移乗操作時には、空間部水受盤を下限位置へ下降させ、介助者は空間部水受盤上に上がり、空間部に入って移乗操作を容易に行なえ、移乗操作をしない時には空間部水受盤を上限位置に上昇させ、空間部に落下する水を受け止め、落下水の飛散を防止でき、介助が快適に行なえ、好都合である。
【００５１】
本発明は、空間部水受盤を蛇腹水受盤とし、蛇腹水受盤は枠体に水平方向に伸縮移動可能に設けられ、前記空間部の一隅に寄せられるように構成したものであるから、蛇腹水受盤を空間部の全面に張設したり一隅に寄せたりすることが容易であり、しかも、担架の移乗操作が容易であり落下水の飛散を防止でき、好都合である。
【００５２】
本発明は、空間部水受盤を水受盤に設けた垂下水受盤とし、垂下水受盤は垂下状位置から水平位置にまで回動可能であり該水平位置で係止固定できるものであるから、垂下水受盤の位置変更とその固定が容易に行なえ、好都合である。
【００５３】
本発明は、浴槽に横着けされた搬送車の空間部内にいる介助者が当該部内において浴槽が有する機能の指示操作を行えるよう、浴槽の側壁上面に操作部を設けたものであるから、浴槽へ担架を押し込んだ後、その位置で浴槽を操作でき入浴を実施できるので、介助者は浴槽の長手方向の端部（＝背面部又は正面部）にある背面操作部又は正面操作部の所へ移動するロスを削減でき、介助がやり易く高能率に行なえ、好都合である。
【００５４】
本発明は、担架に落下水を受け止める担架水受盤が設けられるものであるから、落下水の飛散を防止でき、快適に入浴介助ができる。
【００５５】
又、入浴に際し、担架を移乗させると、担架と共に担架水受盤が移動するので、介助者は空間部へ入ることができる。故に、介助者は空間部へ入って、担架の操作を容易にできると共に入浴者を好適に介助でき、好都合である。
【図面の簡単な説明】
【図１】本発明の第１実施例の斜視図である。
【図２】本発明の第２実施例の平面図である。
【図３】本発明の第２実施例の側面図である。
【図４】本発明の第３実施例の平面図である。
【図５】本発明の第３実施例の側面図である。
【図６】本発明の第４実施例の平面図である。
【図７】本発明の第４実施例の側面図である。
【図８】本発明の第５実施例の側面図である。
【図９】本発明の第６実施例の平面図である。
【図１０】本発明の第６実施例の平面図である。
【図１１】本発明の第７実施例の側面図である。
【図１２】本発明の第８実施例の側面図である。
【図１３】本発明の第９実施例の平面図である。
【図１４】本発明の第９実施例の側面図である。
【図１５】本発明の第１０実施例の側面図である。
【符合の説明】
１ 浴槽
２ 搬送車
４ 開口部
５ 空間部
６ 前部
７ 後部
８ 枠体
１１ 踏み台
１２ 水受盤
１５ 空間部水受盤
１８ 側壁
１９ 操作部
２９ 連結体
３２ 扉
３６ 担架水受盤
４２ 蛇腹水受盤
４３ 垂下水受盤
【図１】
0003862872.tif 000002
【図２】
0003862872.tif 000003
【図３】
0003862872.tif 000004
【図４】
0003862872.tif 000005
【図５】
0003862872.tif 000006
【図６】
0003862872.tif 000007
【図７】
0003862872.tif 000008
【図８】
0003862872.tif 000009
【図９】
0003862872.tif 000010
【図１０】
0003862872.tif 000011
【図１１】
0003862872.tif 000012
【図１２】
0003862872.tif 000013
【図１３】
0003862872.tif 000014
【図１４】
0003862872.tif 000015
【図１５】
0003862872.tif 000016